(57)【要約】【課題】排水管あるいは宅内排水桝と排水支管等の接続や取り外しが容易にでき、排水設備の維持管理が容易に行える可とう性やりとり継手を提供する。【解決手段】排水管を接続する可とう性やりとり継手であって、上流側接続部１１は上流側排水管１９の外径に略等しい内径を有し、かつ上流側排水管方向へスライドしやりとり出来る挿入代を有し、他方下流側接続部１４は可とう性やりとり継手の軸心より下方に偏芯した受口を有し、該受口に挿入された下流側排水管２０の先端部がストッパーで止まり、かつそのストッパーの高さは下流側排水管２０の肉厚と同等かそれより高くなっている。【選択図】      図３
2005060941.tif 000002
【特許請求の範囲】
【請求項１】
排水管を接続するゴム等の弾性体からなる可とう性やりとり継手であって、上流側接続部は上流側排水管の外径に略等しい内径を有し、かつ上流側排水管方向へスライドしやりとり出来る挿入代を有し、他方下流側接続部は可とう性やりとり継手の軸心より下方に偏芯した受口を有し、該受口に挿入された下流側排水管の先端部は受口奥側ストッパーで止まり、かつそのストッパーの高さは下流側排水管の肉厚と同等かそれより高くなっている構造を特徴とする可とう性やりとり継手。
【請求項２】
上流側接続部の所定位置に内面側に突起、外面側が凹みとなった挿入確認部が形成されており、上流側排水管を上流側接続部に所定位置まで挿入したとき前記挿入確認部の凹みが外面に膨らみ、上流側排水管が所定位置まで挿入されたことが確認できることを特徴とする請求項１に記載の可とう性やりとり継手。
【発明の詳細な説明】
【０００１】
【発明の属する技術分野】
本発明は、排水管の接続に用いる可とう性やりとり継手に関する。
【０００２】
【従来の技術】
排水管の接続に用いるやりとり継手としては、管の外径に相当する内径を有し、その一方の端部に隣接してゴムリングを嵌着した溝を有し、他端には接着受口または差口、あるいは他端部にも隣接してゴムリングを嵌着した溝を有したものなどが知られている（例えば、特許文献１ないし２参照）。
【０００３】
【特許文献１】
実公昭６２−４６０３号公報
【０００４】
【特許文献２】
実公平３−３６６２９号公報
【０００５】
【発明が解決しようとする課題】
しかし、従来のやりとり継手は当然ながらやりとり接続は可能であるが、接続部を取り外す必要があるときにはゴムリングがうまく滑らず、やりとりに多大な力を必要とするか、あるいは管の切断等を行う場合もあり、再接続には新たに管や継手が必要になり、接続工数も多大となることもあった。
【０００６】
また、従来のやりとり継手の接続では上流側排水管、やりとり継手、下流側排水管が全て同芯であるため、接続する排水管ややりとり継手の内径によっては下流側が上流側より高くなり、排水の流れが妨げられ、排水管の配管詰まりの原因となる排水溜まりを発生させることもあった。
【０００７】
そこで本発明は、排水管とやりとり継手の接続、取り外し、再接続を容易にし、かつ排水溜まりを発生させない可とう性やりとり継手を提供することを目的としている。
【０００８】
【課題を解決するための手段】
上記目的を解決するため、本発明の可とう性やりとり継手は、上流側接続部は上流側排水管の外径に略等しい内径を有し、かつ上流側排水管方向へスライドしやりとり出来る挿入代を有し、他方下流側接続部は可とう性やりとり継手の軸心より下方に偏芯した受口を有し、該受口に挿入された下流側排水管の先端部は受口奥側のストッパーで止まり、かつそのストッパーの高さは下流側排水管の肉厚と同等かそれより高くなっている構造を特徴としている。また、上流側接続部の所定位置に内面側に突起、外面側に凹みとなった挿入確認部が形成されており、上流側排水管を上流側接続部に所定位置まで挿入したとき前記挿入確認部の凹みが外面に膨らみ、上流側排水管が所定位置まで挿入されたことが確認できることを特徴としている。
【０００９】
【発明の実施の形態】
以下、本発明の実施の態様を図面にて詳細に説明する。
図１乃至図３は本発明の可とう性やりとり継手の一形態例を示すもので、図１は正面図、図２は平面図、図３は管を接続した正面断面図、図４は一使用例として宅内排水桝と排水支管との接続に本発明の可とう性やりとり継手を使用した正面図である。
【００１０】
可とう性やりとり継手１０はゴム等の弾性体でできており、その両端部外周面には、バンド接続部１１が設けられるとともに、中間部には補強用の厚肉部１２が所定間隔で設けられている。
【００１１】
可とう性やりとり継手１０の上流側接続部１３は、接続する上流側排水管１９の外径に略等しい内径を有するものであり、他方下流側接続部１４は可とう性やりとり継手の軸心より下方に偏芯した受口となっている。この受口の内径は下流側排水管２０の外径に略等しく、この受口に下流側排水管２０を挿入したときに、該排水管の先端部が受口奥側のストッパーで止まり、前記ストッパーの高さが下流側排水管の肉厚と同等かそれより高くなっている。
【００１２】
したがって、可とう性やりとり継手１０は、上流下流の接続方向および上下方向が規定されているので、誤使用を防ぐため、可とう性やりとり継手１０の外周面の一部に平面部１５を設け、この平面部１５に、天面側を表す表示１６および流れ方向の表示１７を設けるとなおよい。また、可とう性やりとり継手１０の上流側接続部の所定位置に内面側に突起、外面側に凹みとなっている挿入確認部１８が形成されており、上流側排水管１９を上流側接続部１３に所定位置まで挿入したとき前記挿入確認部１８の凹みが外面に膨らみ、上流側排水管１９が所定位置まで挿入されたことが確認できる。
【００１３】
可とう性やりとり継手１０を宅内排水桝２１と排水支管２４との接続に使用した例を一例として説明する。可とう性やりとり継手１０の下流側接続部１４の受口に排水桝２１の流入管２２を挿入し、バンド接続部１１をバンド２３で締め付けることにより接続される。尚、このとき上下方向を間違えないよう注意する。
【００１４】
次に、可とう性やりとり継手１０の上流側接続部１３に排水支管２４を挿入し、バンド接続部１１をバンド２３で締め付けることにより接続される。排水支管２４の挿入代は挿入確認部１８までとし、宅内排水桝２１の流入管２２との間隔をあけておくと後にやりとりができるので好ましい。最後に挿入確認部１８の外面凹みが緩和されていることを確認し接続は完了する。可とう性やりとり継手は可とう性があるので、排水支管２４と宅内排水桝２１の流入管２２とに、角度ズレや芯ズレがあっても接続が可能である。
【００１５】
また、宅内排水桝２１と排水支管２４の接続を外す必要ができた場合は、全てのバンド２３を外し、可とう性やりとり継手１０を排水支管２４側にスライドさせ、可とう性やりとり継手１０の下流側接続部１４から宅内排水桝２１の流入管２２を抜き取り、次に排水支管２４より可とう性やりとり継手１０を宅内排水桝２１が干渉しないよう屈曲させ抜き取ることができるので、宅内排水桝２１と排水支管２４の接続を容易に外すことができる。
【００１６】
【発明の効果】
以上説明したように、本発明の可とう性やりとり継手を使えば、例えば宅内排水桝と排水支管の接続や取り外しが容易にでき、排水設備の維持管理が容易に行えるようになる。
【図面の簡単な説明】
【図１】図１は本発明の可とう性やりとり継手の一形態例を示す正面図である。
【図２】図２は同じく平面図である。
【図３】図３は管を接続した正面断面図である。
【図４】図４は一使用例として宅内排水桝と排水支管との接続に本発明の可とう性やりとり継手を使用した正面図である。
【符号の説明】
１０…可とう性やりとり継手、１１……バンド接続部、１２…厚肉部、１３…上流側接続部、１４…下流側接続部、１５…平面部、１６…天面側を表す表示、１７…流れ方向の表示、１８…挿入確認部、１９…上流側排水管、２０…下流側排水管、２１…宅内排水桝、２２…流入管、２３…バンド、２４…排水支管
【図１】
2005060941.tif 000003
【図２】
2005060941.tif 000004
【図３】
2005060941.tif 000005
【図４】
2005060941.tif 000006